(57)【要約】      （修正有）【課題】液受容器から溢れ出た抽出液で載置部を汚損したり、溢れ出た抽出液による火傷を未然に防ぐことができ、使用の安全性を高めるコーヒー抽出器具を提供する。【解決手段】抽出器体２を載置可能な載置部１ｃを備えた載置台１と、該載置部１ｃの下方位置に配置され、該抽出器体２からの抽出液を受ける液受容器３とからなり、載置部１ｃに抽出器体２からの抽出液の下方位置への滴下を許容する通過穴部１ｆを形成し、載置部１ｃに該通過穴部１ｆを開口切欠して抽出器体２及び液受容器３の移動時に該抽出器体２から抽出液の滴下を許容する開口溝部５を形成する。【選択図】図２
0003222271.tif 000002
【実用新案登録請求の範囲】
【請求項１】
抽出器体を載置可能な載置部を備えた載置台と、該載置部の下方位置に配置され、該抽出器体からの抽出液を受ける液受容器とからなり、上記載置部に上記抽出器体及び上記液受容器の移動時に該抽出器体から該液受容器内への上記抽出液の滴下を許容する開口溝部を形成してなることを特徴とするコーヒー抽出器具。
【請求項２】
上記載置部に上記抽出器体を位置決め可能な位置決め凹部を形成してなることを特徴とする請求項１記載のコーヒー抽出器具。
【請求項３】
上記位置決め凹部内に座部材を交換自在に配置し、該座部材に上記抽出器体及び上記液受容器の移動時に該抽出器体から該液受容器内への上記抽出液の滴下を許容する開口溝部を形成してなることを特徴とする請求項２記載のコーヒー抽出器具。
【考案の詳細な説明】
【技術分野】
【０００１】
本考案はコーヒー粉末からコーヒーを抽出する際に用いられるコーヒー抽出器具に関するものである。
【背景技術】
【０００２】
従来、この種のコーヒー抽出器具として、抽出器体を載置可能な載置部を備えた載置台と、載置部の下方位置に配置され、抽出器体からの抽出液を受ける液受容器とからなる構造のものが知られている。
【０００３】
しかして、上記載置台の載置部に抽出器体を載置し、例えば、抽出器体内に紙製のフィルタを配置し、フィルタ内に適量のコーヒー粉末を収容し、フィルタ内に熱湯を注ぎ、フィルタ及び抽出器体からの抽出液としてのコーヒーを、例えば、コーヒー椀や開口容器などの液受容器で受けて飲用することになる。
【先行技術文献】
【特許文献】
【０００４】
【特許文献１】実公平２−１７５３１号公報
【考案の概要】
【考案が解決しようとする課題】
【０００５】
しかしながら上記従来構造の場合、抽出器体内に配置されたフィルタ内のコーヒー粉末に熱湯を注いでコーヒーを抽出するに際し、フィルタ内への熱湯の注ぎ入れ量が過大に過ぎ、液受容器内からコーヒーが外部に溢出することがあり、このため、溢れ出たコーヒーで載置部を汚損したり、溢れ出たコーヒーで火傷をするおそれがあるという不具合を有している。
【課題を解決するための手段】
【０００６】
本考案はこれらの不都合を解決することを目的とするもので、本考案のうちで、請求項１記載の考案は、抽出器体を載置可能な載置部を備えた載置台と、該載置部の下方位置に配置され、該抽出器体からの抽出液を受ける液受容器とからなり、上記載置部に上記抽出器体及び上記液受容器の移動時に該抽出器体から該液受容器内への上記抽出液の滴下を許容する開口溝部を形成してなることを特徴とするコーヒー抽出器具にある。
【０００７】
又、請求項２記載の考案は、上記載置部に上記抽出器体を位置決め可能な位置決め凹部を形成してなることを特徴とするものであり、又、請求項３記載の考案は、上記位置決め凹部内に座部材を交換自在に配置し、該座部材に上記抽出器体及び上記液受容器の移動時に該抽出器体から該液受容器内への上記抽出液の滴下を許容する開口溝部を形成してなることを特徴とするものである。
【考案の効果】
【０００８】
本考案は上述の如く、請求項１記載の考案にあっては、載置部に上記抽出器体及び上記液受容器の移動時に抽出器体から液受容器内への上記抽出液の滴下を許容する開口溝部を形成しているから、抽出器体内への熱湯の注ぎ入れ量が過大に過ぎ、液受容器内から抽出液としてのコーヒーが外部に溢出するおそれがあり、新たな液受容器に交換しようとする場合、上記抽出器体及び上記液受容器を載置台の外方位置に移動し、この外方移動時において、上記抽出液は抽出器体から開口溝部を経て液受容器内に滴下することになり、そして、抽出器体及び上記液受容器の外方位置への移動後に新たな液受容器に交換することができ、このため、液受容器から溢れ出た抽出液で載置部を汚損したり、溢れ出た抽出液による火傷を未然に防ぐことができ、使用の安全性を高めることができる。
【０００９】
又、請求項２記載の考案にあっては、上記載置部に上記抽出器体を位置決め可能な位置決め凹部を形成しているから、載置部に対する抽出器体の起立の安定性を図ることができ、又、請求項３記載の考案にあっては、上記位置決め凹部内に座部材を交換自在に配置し、座部材に上記抽出器体及び上記液受容器の移動時に抽出器体から液受容器内への上記抽出液の滴下を許容する開口溝部を形成しているから、座部材の交換により衛生的に使用することができ、使用の利便性を高めることができる。
【図面の簡単な説明】
【００１０】
【図１】本考案の実施の第一形態例の全体斜視図である。
【図２】本考案の実施の第一形態例の分解斜視図である。
【図３】本考案の実施の第一形態例の全体断面図である。
【図４】本考案の実施の第一形態例の使用状態の説明側断面図である。
【図５】本考案の実施の第一形態例の使用状態の説明平面図である。
【図６】本考案の実施の第二形態例の分解斜視図である。
【図７】本考案の実施の第二形態例の使用状態の部分拡大説明側断面図である。
【考案を実施するための形態】
【００１１】
図１乃至図７は本考案の実施の形態例を示し、図１乃至図５は第一形態例、図６、図７は第二形態例である。
【００１２】
図１乃至図５の第一形態例において、１は載置台であって、木製や合成樹脂製であって、この場合、図１の如く、底板部１ａ、側板部１ｂ、載置部１ｃ及び桟部材１ｄからなり、載置部１ｃは抽出器体２を載置可能に形成され、載置部１ｃの下方位置の底板部１ａに抽出器体２からの抽出液Ｗ、この場合、コーヒーを受ける液受容器３が載置され、底板部１ａ、上記側板部１ｂ及び上記桟部材１ｄの構成により間隙部分１ｅを形成し、間隙部分１ｅの存在により抽出器体２の下方位置に対する液受容器３の取出挿入を容易とすると共に液受容器３からの抽出液Ｗの抽出状況を視認可能に構成している。
【００１３】
又、この場合、図２、図３の如く、上記抽出器体２は、合成樹脂製、又は、陶磁器製であって、漏斗部２ａ、通液穴２ｂ、座板部２ｃ及び取手部２ｄが一体に形成され、抽出器体２内にコーヒー粉末Ｗ１を充填可能な紙製のフィルタ４が配置され、かつ、この場合、上記液受容器３は合成樹脂により開口容器状に形成されている。この液受容器３としてコーヒーカップを適用することもある。
【００１４】
５は開口溝部であって、図２、図５の如く、上記載置部１ｃに形成され、上記抽出器体２及び上記液受容器３の移動時に抽出器体２から液受容器３内への上記抽出液Ｗの滴下を許容する開口溝状に形成されている。
【００１５】
この場合、図２の如く、上記載置部１ｃに上記抽出器体２の座板部２ｃの外径に嵌合可能な内径の位置決め凹部６が形成され、位置決め凹部６により抽出器体２を位置決め可能に構成している。
【００１６】
又、この場合、図２、図３の如く、上記位置決め凹部６内に透明な合成樹脂製の座部材７を交換自在に配置し、座部材７に上記抽出器体２及び上記液受容器３の移動時に抽出器体２から液受容器３内への上記抽出液Ｗの滴下を許容する開口溝部７ａを形成し、かつ、座部材７を切欠した弦状端部７ｂを形成している。
【００１７】
この実施の第一形態例は上記構成であるから、図２、図４、図５の如く、上記載置台１の載置部１ｃに抽出器体２を載置し、例えば、抽出器体２内に紙製のフィルタ４を配置し、フィルタ４内に適量のコーヒー粉末Ｗ１を収容し、フィルタ４内に熱湯Ｈを注ぎ、フィルタ４及び抽出器体２からの抽出液Ｗとしてのコーヒーを、例えば、コーヒー椀や開口容器などの液受容器３で受けて飲用することになる。
【００１８】
この場合、図４、図５の如く、上記載置部１ｃに上記抽出器体２及び上記液受容器３の移動時に抽出器体２から液受容器３内への上記抽出液Ｗの滴下を許容する開口溝部５を形成しているから、抽出器体２及びフィルタ４内への熱湯Ｈの注ぎ入れ量が過大に過ぎ、液受容器３内から抽出液Ｗとしてのコーヒーが外部に溢出するおそれがあり、図５の如く、新たな液受容器３に交換しようとする場合、上記抽出器体２及び上記液受容器３を図中矢印方向の載置台１の外方位置に移動し、この外方移動時において、上記抽出液Ｗは抽出器体２から開口溝部５を経て液受容器３内に滴下することになり、そして、抽出器体２及び上記液受容器３の外方位置への移動後に新たな液受容器３に交換することができ、このため、液受容器３から溢れ出た抽出液Ｗで載置部１ｃを汚損したり、溢れ出た抽出液Ｗによる火傷を未然に防ぐことができ、使用の安全性を高めることができる。
【００１９】
又、この場合、図５の如く、上記載置部１ｃに上記抽出器体２を位置決め可能な位置決め凹部６を形成しているから、載置部１ｃに対する抽出器体２の起立の安定性を図ることができ、又、この場合、上記位置決め凹部６内に座部材７を交換自在に配置し、座部材７に上記抽出器体２及び上記液受容器３の移動時に抽出器体２から液受容器３内への上記抽出液Ｗの滴下を許容する開口溝部７ａを形成しているから、座部材７の交換により衛生的に使用することができ、使用の利便性を高めることができる。
【００２０】
又、この場合、上記載置台１は底板部１ａ、側板部１ｂ及び桟部材１ｄにより間隙部分１ｅを形成して構成しているから、間隙部分１ｅの存在により抽出器体２の下方位置に対する液受容器３の取出挿入を容易とすることができると共に液受容器３からの抽出液Ｗの抽出状況を視認することができる。
【００２１】
図６、図７の第二形態例は抽出器体２の別例構造を示し、この場合、抽出器体２は合成樹脂製の容器体２ｅ及び蓋体２ｆにより形成され、容器体２ｅの内底面は漏斗状に形成され、中央部に通液穴２ｂが形成され、容器体２ｅ内に合成樹脂製の網目袋からなる扁平状のフィルタ４を三角漏斗状に拡開して収容し、フィルタ４にコーヒー粉末Ｗ１を収容し、フィルタ４内に熱湯Ｈを注ぎ、多量な抽出液Ｗを得るように構成している。
【００２２】
この第二形態例にあっても、図６、図７の如く、上記第一形態例と同様、上記載置部１ｃに上記抽出器体２及び上記液受容器３の移動時に抽出器体２から液受容器３内への上記抽出液Ｗの滴下を許容する開口溝部５を形成しているから、抽出器体２及びフィルタ４内への熱湯Ｈの注ぎ入れ量が過大に過ぎ、液受容器３内から抽出液Ｗとしてのコーヒーが外部に溢出するおそれがあり、新たな液受容器３に交換しようとする場合、上記抽出器体２及び上記液受容器３を載置台１の外方位置に移動し、この外方移動時において、上記抽出液Ｗは抽出器体２から開口溝部５を経て液受容器３内に滴下することになり、そして、抽出器体２及び上記液受容器３の外方位置への移動後に新たな液受容器３に交換することができ、このため、液受容器３から溢れ出た抽出液Ｗで載置部１ｃを汚損したり、溢れ出た抽出液Ｗによる火傷を未然に防ぐことができ、使用の安全性を高めることができる。
【００２３】
尚、本考案は上記実施の形態例に限られるものではなく、抽出液Ｗ、載置台１、載置部１ｃ、抽出器体２、液受容器３、開口溝部５、位置決め凹部６、座部材７、開口溝部７ａの形状や構造等は適宜選択して設計される。
【００２４】
以上、所期の目的を充分達成することができる。
【符号の説明】
【００２５】
Ｗ    抽出液
１    載置台
１ｃ    載置部
２    抽出器体
３    液受容器
５    開口溝部
６    位置決め凹部
７    座部材
７ａ    開口溝部
【図１】
0003222271.tif 000003
【図２】
0003222271.tif 000004
【図３】
0003222271.tif 000005
【図４】
0003222271.tif 000006
【図５】
0003222271.tif 000007
【図６】
0003222271.tif 000008
【図７】
0003222271.tif 000009
【手続補正書】
【提出日】令和1年5月15日(2019.5.15)
【手続補正１】
【補正対象書類名】実用新案登録請求の範囲
【補正対象項目名】全文
【補正方法】変更
【補正の内容】
【実用新案登録請求の範囲】
【請求項１】
抽出器体を載置可能な載置部を備えた載置台と、該載置部の下方位置に配置され、該抽出器体からの抽出液を受ける液受容器とからなり、上記載置部に上記抽出器体からの抽出液の上記下方位置への滴下を許容する通過穴部を形成し、上記載置部に該通過穴部を開口切欠して上記抽出器体及び上記液受容器の移動時に該抽出器体から該液受容器内への上記抽出液の滴下を許容する開口溝部を形成してなることを特徴とするコーヒー抽出器具。
【請求項２】
上記通過穴部の内周縁部に上記抽出器体を位置決め可能な位置決め凹部を形成してなることを特徴とする請求項１記載のコーヒー抽出器具。
【請求項３】
上記位置決め凹部内に座部材を交換自在に配置し、該座部材に上記抽出器体からの抽出液の上記下方位置への滴下を許容する通過穴部を形成し、該座部材に該通過穴部を開口切欠して上記抽出器体及び上記液受容器の移動時に該抽出器体から該液受容器内への上記抽出液の滴下を許容する開口溝部を形成してなることを特徴とする請求項２記載のコーヒー抽出器具。
【手続補正２】
【補正対象書類名】明細書
【補正対象項目名】全文
【補正方法】変更
【補正の内容】
【考案の詳細な説明】
【技術分野】
【０００１】
本考案はコーヒー粉末からコーヒーを抽出する際に用いられるコーヒー抽出器具に関するものである。
【背景技術】
【０００２】
従来、この種のコーヒー抽出器具として、抽出器体を載置可能な載置部を備えた載置台と、載置部の下方位置に配置され、抽出器体からの抽出液を受ける液受容器とからなる構造のものが知られている。
【０００３】
しかして、上記載置台の載置部に抽出器体を載置し、例えば、抽出器体内に紙製のフィルタを配置し、フィルタ内に適量のコーヒー粉末を収容し、フィルタ内に熱湯を注ぎ、フィルタ及び抽出器体からの抽出液としてのコーヒーを、例えば、コーヒー椀や開口容器などの液受容器で受けて飲用することになる。
【先行技術文献】
【特許文献】
【０００４】
【特許文献１】実公平２−１７５３１号公報
【考案の概要】
【考案が解決しようとする課題】
【０００５】
しかしながら上記従来構造の場合、抽出器体内に配置されたフィルタ内のコーヒー粉末に熱湯を注いでコーヒーを抽出するに際し、フィルタ内への熱湯の注ぎ入れ量が過大に過ぎ、液受容器内からコーヒーが外部に溢出することがあり、このため、溢れ出たコーヒーで載置部を汚損したり、溢れ出たコーヒーで火傷をするおそれがあるという不具合を有している。
【課題を解決するための手段】
【０００６】
本考案はこれらの不都合を解決することを目的とするもので、本考案のうちで、請求項１記載の考案は、抽出器体を載置可能な載置部を備えた載置台と、該載置部の下方位置に配置され、該抽出器体からの抽出液を受ける液受容器とからなり、上記載置部に上記抽出器体からの抽出液の上記下方位置への滴下を許容する通過穴部を形成し、上記載置部に該通過穴部を開口切欠して上記抽出器体及び上記液受容器の移動時に該抽出器体から該液受容器内への上記抽出液の滴下を許容する開口溝部を形成してなることを特徴とするコーヒー抽出器具にある。
【０００７】
又、請求項２記載の考案は、上記通過穴部の内周縁部に上記抽出器体を位置決め可能な位置決め凹部を形成してなることを特徴とするものであり、又、請求項３記載の考案は、上記位置決め凹部内に座部材を交換自在に配置し、該座部材に上記抽出器体からの抽出液の上記下方位置への滴下を許容する通過穴部を形成し、該座部材に該通過穴部を開口切欠して上記抽出器体及び上記液受容器の移動時に該抽出器体から該液受容器内への上記抽出液の滴下を許容する開口溝部を形成してなることを特徴とするものである。
【考案の効果】
【０００８】
本考案は上述の如く、請求項１記載の考案にあっては、上記載置部に上記抽出器体からの抽出液の上記下方位置への滴下を許容する通過穴部を形成し、上記載置部に通過穴部を開口切欠して上記抽出器体及び上記液受容器の移動時に抽出器体から液受容器内への上記抽出液の滴下を許容する開口溝部を形成しているから、抽出器体内への熱湯の注ぎ入れ量が過大に過ぎ、液受容器内から抽出液としてのコーヒーが外部に溢出するおそれがあり、新たな液受容器に交換しようとする場合、上記抽出器体及び上記液受容器を載置台の外方位置に移動し、この外方移動時において、上記抽出液は抽出器体から通過穴部及び開口溝部を経て液受容器内に滴下することになり、そして、抽出器体及び上記液受容器の外方位置への移動後に新たな液受容器に交換することができ、このため、液受容器から溢れ出た抽出液で載置部を汚損したり、溢れ出た抽出液による火傷を未然に防ぐことができ、使用の安全性を高めることができる。
【０００９】
又、請求項２記載の考案にあっては、上記通過穴部の内周縁部に上記抽出器体を位置決め可能な位置決め凹部を形成しているから、載置部に対する抽出器体の起立の安定性を図ることができ、又、請求項３記載の考案にあっては、上記位置決め凹部内に座部材を交換自在に配置し、座部材に上記抽出器体からの抽出液の上記下方位置への滴下を許容する通過穴部を形成し、座部材に上記通過穴部を開口切欠して上記抽出器体及び上記液受容器の移動時に抽出器体から液受容器内への上記抽出液の滴下を許容する開口溝部を形成しているから、座部材の交換により衛生的に使用することができ、使用の利便性を高めることができる。
【図面の簡単な説明】
【００１０】
【図１】本考案の実施の第一形態例の全体斜視図である。
【図２】本考案の実施の第一形態例の分解斜視図である。
【図３】本考案の実施の第一形態例の全体断面図である。
【図４】本考案の実施の第一形態例の使用状態の説明側断面図である。
【図５】本考案の実施の第一形態例の使用状態の説明平面図である。
【図６】本考案の実施の第二形態例の分解斜視図である。
【図７】本考案の実施の第二形態例の使用状態の部分拡大説明側断面図である。
【考案を実施するための形態】
【００１１】
図１乃至図７は本考案の実施の形態例を示し、図１乃至図５は第一形態例、図６、図７は第二形態例である。
【００１２】
図１乃至図５の第一形態例において、１は載置台であって、木製や合成樹脂製であって、この場合、図１の如く、底板部１ａ、側板部１ｂ、載置部１ｃ及び桟部材１ｄからなり、載置部１ｃは抽出器体２を載置可能に形成され、載置部１ｃの下方位置の底板部１ａに抽出器体２からの抽出液Ｗ、この場合、コーヒーを受ける液受容器３が載置され、載置部１ｃに上記抽出器体２からの抽出液Ｗの上記下方位置への滴下を許容する通過穴部１ｆを形成し、底板部１ａ、上記側板部１ｂ及び上記桟部材１ｄの構成により間隙部分１ｅを形成し、間隙部分１ｅの存在により抽出器体２の下方位置に対する液受容器３の取出挿入を容易とすると共に液受容器３からの抽出液Ｗの抽出状況を視認可能に構成している。
【００１３】
又、この場合、図２、図３の如く、上記抽出器体２は、合成樹脂製、又は、陶磁器製であって、漏斗部２ａ、通液穴２ｂ、座板部２ｃ及び取手部２ｄが一体に形成され、抽出器体２内にコーヒー粉末Ｗ１を充填可能な紙製のフィルタ４が配置され、かつ、この場合、上記液受容器３は合成樹脂により開口容器状に形成されている。この液受容器３としてコーヒーカップを適用することもある。
【００１４】
５は開口溝部であって、図２、図５の如く、上記載置部１ｃに形成され、上記通過穴部１ｆを開口切欠して上記抽出器体２及び上記液受容器３の移動時に抽出器体２から液受容器３内への上記抽出液Ｗの滴下を許容する開口溝状に形成されている。
【００１５】
この場合、図２の如く、上記通過穴部１ｆの内周縁部に上記抽出器体２の座板部２ｃの外径に嵌合可能な内径の位置決め凹部６が形成され、位置決め凹部６により抽出器体２を位置決め可能に構成している。
【００１６】
又、この場合、図２、図３の如く、上記位置決め凹部６内に透明な合成樹脂製の座部材７を交換自在に配置し、座部材７に上記抽出器体２からの抽出液Ｗの上記下方位置への滴下を許容する通過穴部７ｃを形成し、座部材７に通過穴部７ｃを開口切欠して上記抽出器体２及び上記液受容器３の移動時に抽出器体２から液受容器３内への上記抽出液Ｗの滴下を許容する開口溝部７ａを形成し、かつ、座部材７を切欠した弦状端部７ｂを形成している。
【００１７】
この実施の第一形態例は上記構成であるから、図２、図４、図５の如く、上記載置台１の載置部１ｃに抽出器体２を載置し、例えば、抽出器体２内に紙製のフィルタ４を配置し、フィルタ４内に適量のコーヒー粉末Ｗ１を収容し、フィルタ４内に熱湯Ｈを注ぎ、フィルタ４及び抽出器体２からの抽出液Ｗとしてのコーヒーを、例えば、コーヒー椀や開口容器などの液受容器３で受けて飲用することになる。
【００１８】
この場合、図４、図５の如く、上記載置部１ｃに上記抽出器体２からの抽出液Ｗの上記下方位置への滴下を許容する通過穴部１ｆを形成し、上記載置部１ｃに通過穴部１ｆを開口切欠して上記抽出器体２及び上記液受容器３の移動時に抽出器体２から液受容器３内への上記抽出液Ｗの滴下を許容する開口溝部５を形成しているから、抽出器体２及びフィルタ４内への熱湯Ｈの注ぎ入れ量が過大に過ぎ、液受容器３内から抽出液Ｗとしてのコーヒーが外部に溢出するおそれがあり、図５の如く、新たな液受容器３に交換しようとする場合、上記抽出器体２及び上記液受容器３を図中矢印方向の載置台１の外方位置に移動し、この外方移動時において、上記抽出液Ｗは抽出器体２から通過穴部１ｆ及び開口溝部５を経て液受容器３内に滴下することになり、そして、抽出器体２及び上記液受容器３の外方位置への移動後に新たな液受容器３に交換することができ、このため、液受容器３から溢れ出た抽出液Ｗで載置部１ｃを汚損したり、溢れ出た抽出液Ｗによる火傷を未然に防ぐことができ、使用の安全性を高めることができる。
【００１９】
又、この場合、図５の如く、上記通過穴部１ｆの内周縁部に上記抽出器体２を位置決め可能な位置決め凹部６を形成しているから、載置部１ｃに対する抽出器体２の起立の安定性を図ることができ、又、この場合、上記位置決め凹部６内に座部材７を交換自在に配置し、座部材７に上記抽出器体２からの抽出液Ｗの上記下方位置への滴下を許容する通過穴部７ｃを形成し、座部材７に上記通過穴部７ｃを開口切欠して上記抽出器体２及び上記液受容器３の移動時に抽出器体２から液受容器３内への上記抽出液Ｗの滴下を許容する開口溝部７ａを形成しているから、座部材７の交換により衛生的に使用することができ、使用の利便性を高めることができる。
【００２０】
又、この場合、上記載置台１は底板部１ａ、側板部１ｂ及び桟部材１ｄにより間隙部分１ｅを形成して構成しているから、間隙部分１ｅの存在により抽出器体２の下方位置に対する液受容器３の取出挿入を容易とすることができると共に液受容器３からの抽出液Ｗの抽出状況を視認することができる。
【００２１】
図６、図７の第二形態例は抽出器体２の別例構造を示し、この場合、抽出器体２は合成樹脂製の容器体２ｅ及び蓋体２ｆにより形成され、容器体２ｅの内底面は漏斗状に形成され、中央部に通液穴２ｂが形成され、容器体２ｅ内に合成樹脂製の網目袋からなる扁平状のフィルタ４を三角漏斗状に拡開して収容し、フィルタ４にコーヒー粉末Ｗ１を収容し、フィルタ４内に熱湯Ｈを注ぎ、多量な抽出液Ｗを得るように構成している。
【００２２】
この第二形態例にあっても、図６、図７の如く、上記第一形態例と同様、上記載置部１ｃに上記抽出器体２からの抽出液Ｗの上記下方位置への滴下を許容する通過穴部１ｆを形成し、上記載置部１ｃに通過穴部１ｆを開口切欠して上記抽出器体２及び上記液受容器３の移動時に抽出器体２から液受容器３内への上記抽出液Ｗの滴下を許容する開口溝部５を形成しているから、抽出器体２及びフィルタ４内への熱湯Ｈの注ぎ入れ量が過大に過ぎ、液受容器３内から抽出液Ｗとしてのコーヒーが外部に溢出するおそれがあり、新たな液受容器３に交換しようとする場合、上記抽出器体２及び上記液受容器３を載置台１の外方位置に移動し、この外方移動時において、上記抽出液Ｗは抽出器体２から通過穴部１ｆ及び開口溝部５を経て液受容器３内に滴下することになり、そして、抽出器体２及び上記液受容器３の外方位置への移動後に新たな液受容器３に交換することができ、このため、液受容器３から溢れ出た抽出液Ｗで載置部１ｃを汚損したり、溢れ出た抽出液Ｗによる火傷を未然に防ぐことができ、使用の安全性を高めることができる。
【００２３】
尚、本考案は上記実施の形態例に限られるものではなく、抽出液Ｗ、載置台１、載置部１ｃ、抽出器体２、液受容器３、開口溝部５、位置決め凹部６、座部材７、開口溝部７ａの形状や構造等は適宜選択して設計される。
【００２４】
以上、所期の目的を充分達成することができる。
【符号の説明】
【００２５】
Ｗ    抽出液
１    載置台
１ｃ    載置部
１ｆ    通過穴部
２    抽出器体
３    液受容器
５    開口溝部
６    位置決め凹部
７    座部材
７ａ    開口溝部
７ｃ    通過穴部
【手続補正３】
【補正対象書類名】図面
【補正対象項目名】図２
【補正方法】変更
【補正の内容】
【図２】
0003222271.tif 000010
【手続補正４】
【補正対象書類名】図面
【補正対象項目名】図５
【補正方法】変更
【補正の内容】
【図５】
0003222271.tif 000011
【手続補正５】
【補正対象書類名】図面
【補正対象項目名】図６
【補正方法】変更
【補正の内容】
【図６】
0003222271.tif 000012